(57)【要約】【課題】  弾力性があり、窪み、曲がり等の変形に対する強度が強く、耐磨耗性及び耐目詰まり性が良く、精度が良くて量産性があり、比較的安価にできる筆記具用ペン先を得る。【解決手段】  筆記具用ペン先（１）において、３層からなる金網体（３）を鍛造加工によりチップ（２）を形成せしめ、該チップ（２）内にインキ誘導芯（８）を挿入せしめてある。【選択図】  図１
2005028801.tif 000002
【特許請求の範囲】
【請求項１】
チップとインキ誘導芯とからなる筆記具用ペン先において、該チップは、金網を鍛造加工することにより、略砲弾状の頭部と、該頭部から続く筒状で且つ該頭部の反対側で開口している胴部とを一体で形成せしめてあり、ついで該チップ内にインキ誘導芯を挿入せしめてなることを特徴とする筆記具用ペン先。
【請求項２】
請求項１に記載の筆記具用ペン先において、複数層に積層された金網を形成せしめてなるチップを有することを特徴とする筆記具用ペン先。
【請求項３】
請求項１又は請求項２のいずれか１項に記載の筆記具用ペン先において、前記金網を構成する各線材の接触点や複数層に積層された金網どうしの各接触点で金属拡散を行なわしめて接合されてなる金網を形成せしめてなるチップを有することを特徴とする筆記具用ペン先。
【請求項４】
請求項１から請求項３のいずれか１項に記載の筆記具用ペン先において、前記金網の特定部位が目潰し加工され形成せしめてなるチップを有することを特徴とする筆記具用ペン先。
【請求項５】
請求項４に記載の筆記具用ペン先において、前記特定部位が、前記チップの頭部先端部及び／又は、開口部周辺部であることを特徴とする筆記具用ペン先。
【請求項６】
請求項１から請求項５のいずれか１項に記載の筆記具用ペン先において、前記チップを形成後、該チップに熱処理及び／又は、表面処理を施し、ついで、該チップ内にインキ誘導芯を挿入せしめてなることを特徴とする筆記具用ペン先。
【請求項７】
請求項１から請求項６のいずれか１項に記載の筆記具用ペン先において、鍛造加工前の一つの層を構成する金網の線材の直径が０．０５ｍｍから０．２５ｍｍであり、該線材どうしの空隙が０．０５ｍｍから０．２５ｍｍである金網を鍛造加工して形成せしめてなるチップを有することを特徴とする筆記具用ペン先。
【請求項８】
請求項１から請求項７のいずれか１項に記載の筆記具用ペン先において、表面が硬くて凹凸があり、摩擦係数が大きい性状の物体表面にマーキングや筆記するための筆記具に組み込まれていることを特徴とする筆記具用ペン先。
【発明の詳細な説明】
【技術分野】
【０００１】
本発明は、チップとインキ誘導芯とからなる筆記具用ペン先に係わり、より詳しくは、表面が硬くて凹凸があり、摩擦係数が大きい性状の物体、例えば、コンクリート体やアスファルト体、石等にマーキングや筆記する場合に使用され、耐磨耗性や耐目詰まり性、耐損傷性を向上せしめた筆記具用ペン先に関する。
通常、マーキングや筆記する場合に使用される筆記具用ペン先は、主としてフェルト等の非金属製で繊維状のものが多く使用されている。しかしながら、繊維状の筆記具用ペン先をコンクリート体やアスファルト体、石等に使用すると、ペン先が早期に磨耗したり、目詰まりをおこしたり、またペン先が曲がる等の問題があった。従って、これらの問題を悉く解決した筆記具用ペン先が強く所望されている。
【背景技術】
【０００２】
従来の筆記具用ペン先は、厚みが０．０５ｍｍ〜０．２ｍｍの金属薄板を冷間圧造加工して、半球状頭部分（２ａ）と筒状胴部分（２ｂ）とからなるチップ（２）を形成せしめ、該チップ（２）に、０．０３ｍｍ〜０．２ｍｍの溝や孔を複数加工し、該チップ（２）の中にインキ誘導芯（３）を密接状に挿入した構造であり、インキフローが良く、筆記面を選ばず、しかも、成形精度が高く、筆感が滑らかで、紙詰まりがないという効果がある（例えば、特許文献１参照。）。
また、金属繊維相互間の接触点が接合された圧縮焼結集合体である金属繊維製板状基体を冷間鍛造して、先端アール状頭部分（２）と筒状胴部分（３）と後端開口部（４）からなるペン先形状に型成形した金属繊維製ペン先（１）が開示されており、耐磨耗性及び折れ強度が高いという効果がある。更に、該圧縮焼結集合体表面にステンレス鋼金網で被覆した後にペン先に加工することも開示されており、表面強度がより強くなるという効果がある（例えば、特許文献２参照。）。
【０００３】
【特許文献１】特開２００２−８６９７４号公報（第２−５頁、第１、２、５、１０図）
【特許文献２】特開２００１−２０５９６７号公報（第２−４頁、第１、２、３図）
【発明の開示】
【発明が解決しようとする課題】
【０００４】
しかしながら、前記に示した従来の技術には、次のような問題があった。
【０００５】
特許文献１によれば、チップ（２）の金属板厚が最大で０．２ｍｍと薄く、しかも複数のインキ通孔（２ｆ）が形成されているため強度的に弱くなっているため、該チップ（２）を組み込んだ筆記具を使用して、例えば、コンクリート体のような硬い物体にマーキングや筆記する場合に、誤って該筆記具を該物体の上に落としてしまった場合は、該チップ（２）が窪んだり、折れ曲がってしまい使用できなくなるという問題があった。又、該チップ（２）の先端には、複数のインキ通孔（２ｆ）が形成されているが、微細加工であるため費用が高くついてしまった。更に、マーキング圧や筆記圧により削り粉が発生する物体や路上のコンクリート体やアスファルト体のような埃が多い表面にマーキングや筆記した場合に、該削り粉や埃が該チップ（２）の先端にある複数のインキ通孔（２ｆ）から進入してしまい、該削り粉や埃がスムーズに排出されないため目詰まりが発生し、インキが残っていてもペン先の目詰まりにより最後まで使用できないという問題が多くあった。
【０００６】
一方、特許文献２によれば、金属繊維相互間の接触点が金属拡散により接合されているものの、前記金属繊維製板状基体の特性上、該金属繊維製板状基体を構成する金属繊維の径を太くすることができず、実質的に該金属繊維の径は数μｍから２０μｍ程度と細いため、該金属繊維製板状基体を加工してつくられたペン先（１）は、摩擦係数が大きくて硬い物体、例えば、コンクリート体やアスファルト体にマーキングや筆記を行った場合、該金属繊維が磨耗してしまい、該金属繊維の途中部分が断裂して、ささくれだってしまい、以後の使用に不具合を生じていた。更に、該金属繊維の径が比較的細いため、該金属繊維製板状基体の空隙部が小さく、しかも該金属繊維が該ペン先（１）内でつながっている場合が多く、該空隙部が袋小路になっている場合が多いため、コンクリート体やアスファルト体の筆圧による削り粉や周辺の埃が該ペン先（１）に進入した場合に、該削り粉や埃がスムーズに排出されないため目詰まりが発生し、インキが残っていても該ペン先（１）の目詰まりにより最後まで使用できないという問題が多くあった。又、金属繊維相互間の接触点が金属拡散により密に接合されているため、冷間圧造時において、延びが悪いこともあり、該ペン先（１）を形成すること自体、多くの圧造ステーションと金型が必要となり、コストも高くついていた。
又、該ペン先（１）にステンレス鋼金網で被覆した場合においては、該ペン先（１）の耐磨耗性や強度は向上するものの、該ペン先（１）を使用していると、前記したように、コンクリート体やアスファルト体の筆圧による削り粉や周辺の埃が該ペン先（１）の金属繊維内に進入した場合に、該削り粉や埃がスムーズに排出されないため目詰まりが発生し、インキが残っていてもペン先の目詰まりにより最後まで使用できないという問題が多くあった。更に、金属繊維製板状基体とステンレス鋼金網とを使用するため、製造工程が複雑になり、しかも材料費が高くなることから、ペン先のコストが高くついていた。
【０００７】
本発明は、上記事実を考慮し、耐磨耗性及び耐目詰まり性並びに耐損傷性を向上させ、しかも比較的安価で耐久性の良い筆記具用ペン先を得ることが目的である。
【課題を解決するための手段】
【０００８】
請求項１に記載の本発明は、チップとインキ誘導芯とからなる筆記具用ペン先において、該チップは、金網を鍛造加工することにより、略砲弾状の頭部と、該頭部から続く筒状で且つ該頭部の反対側で開口している胴部とを一体で形成せしめてあり、ついで該チップ内にインキ誘導芯を挿入せしめてなることを特徴とする。
【０００９】
従って、金網を形成せしめてなるチップが直接マーキング面や筆記面に触れ、インキ誘導芯は直接触れない構造になっているため、該チップを有する筆記具用ペン先は、磨耗に強くなっている。又、金網を形成せしめてなる該チップは弾力性があるため、該チップとインキ誘導芯を有する筆記具を、例えば、コンクリート体のような硬い物体の上に落としてしまった場合でも、該チップが窪んだり、折れ曲がったりする損傷が発生しにくいという利点がある。更に、金網を形成せしめたチップは、該チップの全面にわたって適度な空隙があるため、マーキングや筆記することにより発生する筆記面からの削り粉や該筆記面周辺にある埃等が筆記具用ペン先に進入しても、排出されやすいため、目詰まりが発生しにくくなるという効果がある。
【００１０】
請求項２に記載の本発明は、請求項１に記載の筆記具用ペン先において、複数層に積層された金網を形成せしめてなるチップを有することを特徴とする。
【００１１】
従って、チップが複数層に積層された金網から形成されているため、該チップを有する筆記具用ペン先は、非常に弾力性があり、窪みや曲がり等の損傷に対して強くなっている。又、複数層に積層した金網を使用することにより、空隙も充分にあることから、筆記面からの削り粉や該筆記面周辺にある埃等が筆記具用ペン先に進入しても、排出されやすいため、耐目詰まり性も充分なものになっており、優れた効果がある。
【００１２】
請求項３に記載の本発明は、請求項１又は請求項２のいずれか１項に記載の筆記具用ペン先において、前記金網を構成する各線材の接触点や複数層に積層された金網どうしの各接触点で金属拡散を行なわしめて接合されてなる金網を形成せしめてなるチップを有することを特徴とする。
【００１３】
従って、金網を鍛造加工する際において、該鍛造加工の金型や加工工程で特別な細工をしなくても、該金網の異常変形、例えば、異常目開きや異常目詰まり、該金網がばらばらになってしまう等の問題が発生しなくなり、加工費が高くつかないというコスト面での利点がある。又、チップに形成した場合の強度や弾力性も更に強くなるという優位性がある。
【００１４】
請求項４に記載の本発明は、請求項１から請求項３のいずれか１項に記載の筆記具用ペン先において、前記金網の特定部位が目潰し加工され形成せしめてなるチップを有することを特徴とする。
【００１５】
従って、チップの特定部位が目潰し加工されていることにより、マーキングや筆記することにより発生する筆記面からの削り粉や該筆記面周辺にある埃等が筆記具用ペン先に進入するのを防ぐことができるという利点がある。又、インキが不要に出ることを防止できるという利点もある。更に、目潰し加工をすることにより、目潰しされた面が滑らかになり、筆記面を傷つけることが少なくなり、該筆記面からの削り粉の発生を少なくできるという優れた効果がある。
【００１６】
請求項５に記載の本発明は、請求項４に記載の筆記具用ペン先において、前記特定部位が、前記チップの頭部先端部及び／又は、開口部周辺部であることを特徴とする。
【００１７】
従って、チップの頭部先端部を目潰し加工することにより、該頭部先端部が滑らかになり、筆記面を傷つけることが少なくなり、該筆記面からの削り粉の発生を少なくし、目詰まりを防ぐことができるという優れた効果がある。従って、紙や木材、布、プラスチック等にも使用できるという利点もある。又、チップの開口部周辺部（チップ頭部の反対側になる。）は、インキが出てはだめな部位であり、この部位を目潰し加工することにより、インクの出を防止できるという効果がある。又、チップの頭部先端部を目潰し加工しても、該頭部先端部の周辺からは、毛管現象によりインキが補填されるため、マーキングや筆記する場合には問題がない。
【００１８】
請求項６に記載の本発明は、請求項１から請求項５のいずれか１項に記載の筆記具用ペン先において、前記チップを形成後、該チップに熱処理及び／又は、表面処理を施し、ついで、該チップ内にインキ誘導芯を挿入せしめてなることを特徴とする。
【００１９】
従って、熱処理により硬化させることにより、尚いっそうの耐磨耗性の向上を図ることができ、又、表面処理として、めっき処理を施すことにより、防錆効果や耐磨耗性の向上を図ることができるという優れた効果がある。
【００２０】
請求項７に記載の本発明は、請求項１から請求項５のいずれか１項に記載の筆記具用ペン先において、前記チップを形成後、該チップに熱処理及び／又は、表面処理を施し、ついで、該チップ内にインキ誘導芯を挿入せしめてなることを特徴とする。
【００２１】
従って、上記の線材の直径と該線材どうしの空隙からなる金網を形成せしめてなるチップは、表面が硬くて凹凸があり、摩擦係数が大きい性状の物体、更には、表面が削れやすい物体、例えば、コンクリート体やアスファルト体、石等にマーキングや筆記する場合は、耐磨耗性、耐目詰まり性、耐損傷性に関して非常に有用なものとなる。
【００２２】
請求項８に記載の本発明は、請求項１から請求項７のいずれか１項に記載の筆記具用ペン先において、表面が硬くて凹凸があり、摩擦係数が大きい性状の物体表面にマーキングや筆記するための筆記具に組み込まれていることを特徴とする。
【００２３】
従って、コンクリート体やアスファルト体、石等にマーキングや筆記する場合は、ペン先に要求される性能として、耐磨耗性、耐目詰まり性、耐損傷性があるが、前記した特性を持たせたチップを有するペン先を組み込んだ筆記具を使用することにより、満足な性能を発揮させることができる。
【発明の効果】
【００２４】
以上説明したように、本発明に係る筆記具用ペン先は、弾力性があり、窪み、曲がり等の変形に対する強度が強く、耐磨耗性及び耐目詰まり性が非常に良くなっているため、インキがなくなるまで長期間にわたって使用でき、更に、量産性があり、精度が良く、しかも比較的安価に、美観良く作ることができ、特に、コンクリート体やアスファルト体、石等にマーキングや筆記する筆記体に有用である。又、紙や木材、布、プラスチック、鋼材等に対しても問題なくマーキングや筆記することができる。
【発明を実施するための最良の形態】
【００２５】
以下、本発明の第１実施形態を、図に従って説明する。
【００２６】
図１〜図４に示される如く、本第１実施形態の筆記具用ペン先（１）を構成するチップ（２）は、材質がステンレス鋼である３層の金網（３Ａ）、（３Ｂ）、（３Ｃ）を冷間圧造加工することにより、略砲弾状の頭部（４）と、該頭部（４）から続く筒状で且つ該頭部（４）の反対側で開口している胴部（５）とを一体で形成せしめてあり、ついで該チップ（２）内に、フェルトからなるインキ誘導芯（８）を挿入せしめて、筆記具用ペン先（１）が完成する。又、該チップ（２）の開口部（６）の周辺であり、且つ該チップ（２）の内外側面にあたる開口部周辺部（７）には全周にわたり、更には、該チップ（２）の頭部先端部（４ａ）にも、冷間圧造加工工程中に金型（図示しない。）によって、目潰し部が形成されている。又、本第１実施形態では、チップ（２）の材料である金網の材質をステンレス鋼としてあるため、表面処理の一種である防錆処理や耐磨耗のための熱処理は実施していない。
更に、該チップ（２）を構成する３層の金網（３Ａａ）、（３Ｂｂ）、（３Ｃｃ）の冷間圧造加工前の３層の金網（３Ａ）、（３Ｂ）、（３Ｃ）は、共に大きな平板状で、該３層の金網（３Ａ）、（３Ｂ）、（３Ｃ）を構成する各線材（図示しない。）の接触点及び該金網（３Ａ）と（３Ｂ）及び（３Ｂ）と（３Ｃ）の各接触点（９）で金属拡散を行なわしめて接合し、一体化した金網体（３）となっている。該金網体（３）をプレス機（図示しない。）にて円盤状に打ち抜き、ついで冷間圧造加工して該チップ（２）を形成する。冷間圧造加工前の該金網（３Ａ）及び（３Ｃ）を構成する線材（図示しない。）の直径を、φ０．１ｍｍとし、線材どうしの空隙は、０．１５ｍｍとしてあり、又、該金網（３B）を構成する線材（図示しない。）の直径は、φ０．０６ｍｍとし、線材どうしの空隙は、０．１１ｍｍとしてある。
【００２７】
次に、本第１実施形態の作用を説明する。
【００２８】
本第１実施形態では、図２に示されるが如く、チップ（２）は、３層のステンレス鋼からなる金網（３Ａａ）、（３Ｂｂ）、（３Ｃｃ）で構成され、しかも一体化された金網体（３）は、該チップ（２）に形成後も、金属拡散による接合状態が維持されているため、冷間圧造加工において、異常な目開き、目詰まりやばらばらになることがないため、該冷間圧造加工で特別な細工をしなくて良く、更に、量産性があり、精度が良く、しかも比較的安価に形成せしめることができる。しかも弾力性があり、強度的にも非常に強くなっているため、例えば、落下等の衝撃力が作用しても、該チップ（２）は、窪みや曲がり等の変形がしにくくなっている。又、表面が硬くて凹凸があり、摩擦係数が大きく、しかも、該チップ（２）による筆圧により表面が削れやすい性状の物体、例えば、コンクリート体やアスファルト体、石等に対しても、磨耗しにくくなっている。更に、該チップ（２）の頭部先端部（４ａ）に目潰し部を形成することにより、マーキングや筆記する物体の表面を削ることを防止できると同時に耐目詰まりに対しても効果があり、更に、紙や木材、布、プラスチック、鋼材等に対しても問題なくマーキングや筆記することができる。又、該チップ（２）の開口部周辺部（７）に目潰し部を形成することにより、インキの無駄な漏洩を防止している。
【００２９】
更に、前記チップ（２）が３層構造になっていることは、マーキングや筆記面に発生する削り粉や該筆記面周辺にある埃等が該チップ（２）内に浸入しても、排出がスムーズに行われるという作用があり、耐目詰まり性が非常に良い。
【００３０】
以上においては、本発明を特定の実施形態について詳細に説明したが、本発明は、かかる実施形態に限定されるものではなく、本発明の範囲内にて他の種々の実施形態が可能であることは当業者にとって明らかである。
【００３１】
例えば、他の実施形態として、図示はしないが、金網を構成する線材の直径や該線材どうしの空隙、金網の積層数は、筆記面などの条件や用途に合せて適宜に選択することにより、弾力性があり強度的にも強く、耐磨耗性及び耐目詰まり性に優れたチップが形成可能となり、該チップを有する筆記具用ペン先は、非常に有用なものとなる。
【図面の簡単な説明】
【００３２】
【図１】本発明の第１実施形態に係る筆記具用ペン先を示す一部断面の側面図である。
【図２】本発明の第１実施形態に係る筆記具用ペン先のチップを示す側断面図である。
【図３】本発明の第１実施形態に係る筆記具用ペン先のチップに形成する前の金網体を示す正面図である。
【図４】図３における金網体の側面図である。
【符号の説明】
【００３３】
１      筆記具用ペン先
２      チップ
３      金網体
３Ａ    金網（第１層目）
３Ｂ    金網（第２層目）
３Ｃ    金網（第３層目）
３Ａａ  金網（第１層目）
３Ｂｂ  金網（第２層目）
３Ｃｃ  金網（第３層目）
４      頭部
４ａ    頭部先端部
５      胴部
６      開口部
７      開口部周辺部
８      インキ誘導芯
９      接触点
【図１】
2005028801.tif 000003
【図２】
2005028801.tif 000004
【図３】
2005028801.tif 000005
【図４】
2005028801.tif 000006